(57)【要約】      （修正有）【課題】トイレのドア開閉を電気的に検知し、その信号をコンピューターで解析して、トイレの照明と換気扇を制御し、異常事態発生時には必要に応じて、警報を鳴らしたり、電話通報を行うマイコン式コントロールシステムを提供する。【解決手段】ドア開閉を電気的に検知し、それをコンピューターで解析することにより、照明を制御し、トイレ使用者が使用中は必ずドアを閉めて使用し、使用後は必ずドアを閉めることを促し、遵守されない場合は、一定時間経過後に異常事態発生と見なして、駆動ボックスを付加することにより、警報を鳴らしたり、内蔵の携帯電話を自動的に操作して第３者に通報したりすることができるようにした。また、一定期間以上トイレの使用がなかった場合も、別の異常事態発生と見なして、同様の動作を行うようにした。【選択図】図１
2013184046.tif 000002
【特許請求の範囲】
【請求項１】
トイレのドア開閉を電気的に検知し、それをマイコンでコンピューター解析処理することにより、トイレの照明を制御し、換気扇を駆動し、警報を鳴らし、自動的に第３者に電話をかける装置。
【請求項２】
前記ドアの開閉と照明の制御から、以下のＡ，Ｂ，Ｃ，Ｄの状態を認識する方法。
Ａ．初期状態：ドアが閉まっていて、照明を消している状態。
Ｂ．トイレ使用中：（トイレを使おうとして最初に）ドアが開かれた時から、次に閉じられて、（用を足した後外に出ようとして）再び開かれ、二度目に閉じられるまでの間の状態。
Ｃ．最初のドア開けっ放し：（トイレを使おうとして最初に）ドアが開けられたまま、閉められないでいる状態。
Ｄ．二番目のドア開けっ放し：（用を足した後外に出ようとして再び）ドアが開けられたまま、閉められないでいる状態。
【請求項３】
前記最初のドア開けっ放しの状態が、一定短時間（通常１０秒程度）を超えた場合に、トイレ使用者の注意を喚起するために、照明を数回点滅させ、その間にドアが閉じられた場合はトイレ使用中と判断して点灯し、その後も閉じられなかった場合は自動的に消灯することによって、トイレ使用者に使用中は必ずドアを閉めるように促すとともに、使用中でないときは、照明がつけっぱなしにならないようにする方法。
【請求項４】
同様に前記二番目のドア開けっ放しの状態が、一定短時間（通常１０秒程度）を超えた場合に、トイレ使用者の注意を喚起するために、照明を数回点滅させ、その間に閉じられた場合は消灯することによって、トイレ使用者に、使用後は必ずドアを閉めるように促すとともに、その後もドアが閉じられなかった場合は自動的に消灯することによって、トイレが使用中でないときは、照明がつけっぱなしにならないようにする方法。
【請求項５】
前記［請求項２］のＢ，Ｃ，Ｄの状態が一定時間以上（通常３０分程度）続いたとき、異常事態発生と判断して、警報を発する方法。
【請求項６】
前記ドアの開閉が一定期間（通常１日程度）以上なかった場合に、異常事態発生と判断して警報を発する方法。
【発明の詳細な説明】
【技術分野】
【０００１】  本システムはトイレのドア開閉を電気的に検知し、その信号をコンピューターで解析して、トイレの照明と換気扇を制御し、異常事態発生時には必要に応じて、警報を鳴らしたり、電話通報を行ったりするものである。【０００２】  本システムは電球と一体になった本体と、ドアセンサー、駆動ボックスよりなり、前記［０００１］の機能を実現するものである。【０００３】  前記駆動ボックスは、本体からの信号を受けて、換気扇を駆動し、警報ブザーを鳴らすとともに、内臓する携帯電話とマイコンボード、自動押しボタン機構によって、第三者へ異常事態発生を通報する装置である。（図１参照）
【背景技術】
【０００４】  前記ドアセンサーは、ドアに１円玉大のマグネットピースを貼り付け、ドア枠に取り付けられた近接スイッチで、ドアが閉まったことを検知する機能を利用する。【０００５】  前記［０００４］の機能が利用できない環境（ドアにガタがある場合やスライド式のドア、カーテンなどの場合）においては、ドアセンサーとして、投光用のＬＥＤから出た光がドアに反射して、受光器に帰ってくることによりドアの開閉を検知する、反射型光センサーモジュールを利用する。【０００６】  前記駆動ボックスは、警報ブザーを鳴らすとともに、内部に設置された携帯電話と、それを操作するマイコンボードと自動押しボタン機構を用いて自動的に電話をかける機能を利用する。【０００７】  前記携帯電話はワンタッチキーで電話番号を登録し、簡単な操作で電話をかける機能を有するもので、相手が応答すれば、内蔵されたマイクにより、警報ブザー音を聞くことができる機能を利用する。（図３参照）
【発明の概要】
【発明が解決しようとする課題】
【０００８】  従来のトイレ照明システムは主に、焦電センサーの一種である人感センサーとタイマーを用いており、トイレ入り口にセンサーが設置されている場合には、そばに近づいただけで照明が点灯してしまうことがある。【０００９】  前記人感センサーがトイレ内に設置されている場合でも、トイレに入ってじっとしている人や、身体が動かせなくなった人を検知することができないために、これらの人が長時間トイレを使用していると照明が消えてしまったり、使用者が発作を起こして動けなくなるなどの異常事態が発生した場合に、それをコンピューターで解析して認識し、警報を鳴らしたり、電話による通報を行ったりすることができない。
で解析して認識し、警報を鳴らしたり、電話による通報を行ったりすることができない。【００１０】  前記ドアセンサーだけでは、トイレが長期間に亘って使用されていない状態を認識することができない。
【発明の効果】
【００１１】  トイレ使用者は必ずドアを閉めて使うことになるので、停電以外でトイレ使用中に照明が消えてしまうことはない。（［請求項３］参照）【００１２】  ドアの開閉による制御なので、トイレの入り口に外から近づいただけでは、トイレの中の照明は点灯しない。（［請求項１］参照）【００１３】  ドアが開けっ放しになっている状態をマイコンが解析して、警告のため照明を点滅させた後一定時間後に消灯するので、照明がつけっぱなしになることはない。（［請求項３］［請求項４］参照）【００１４】  本体から駆動ボックスへの、換気扇駆動信号を受けて、トイレ使用中と使用後の一定時間換気扇を回すことができる。【００１５】  本体から駆動ボックスへの、異常事態発生信号を受けて警報ブザーを鳴らすことができる。（［請求項５］［請求項６］参照）【００１６】  本体から駆動ボックスへの、異常事態発生信号を受けて、前記携帯電話と内臓のマイコンボードと自動押しボタン機構により、あらかじめ設定された電話番号に電話をかけて異常事態発生を第三者に通報することができる。（［請求項５］［請求項６］参照）
【図面の簡単な説明】
【００１７】
【図１】本システムのブロックダイアグラム  本システムはトイレ照明用の既存の電球をはずして取り付けることのできる、電球と一体となった本体と、それに接続されるドアセンサー、そして駆動ボックスと、換気扇およびブザーよりなる。
【図２】本体のブロックダイアグラム  本体は既存のランプソケットからＡＣ１００Ｖ電力を供給されて、マイコン用のＤＣ５Ｖ電力を生成し、ドアセンサーからの入力信号を受けて、マイコンにより照明用の電球を制御するとともに、換気扇駆動信号、異常事態発生信号を駆動ボックスに出力する。
【図３】駆動ボックスのブロックダイアグラム  駆動ボックスは以下のＡ，Ｂ，Ｃ，Ｄの４つの仕様で提供され、必要に応じてそれらの機能を使用できるものとする。Ａ．換気扇制御のみ行うもので、本体からの換気扇駆動信号を受けて、リレーを介してＡＣ１００Ｖ用換気扇を駆動する。Ｂ．警報ブザーのみを鳴らすもので、本体からの異常事態発生信号を受けて、リレーを介してＡＣ１００Ｖ用ブザーを駆動する。Ｃ．Ａ，Ｂの仕様を併せ持つものもの  Ｄ．携帯電話とその充電器、および制御用マイコンボードと自動押しボタン機構、ＤＣ５Ｖ電源を備えていて、第３者に電話により異常事態発生を通報することができるもの。
【図１】
2013184046.tif 000003
【図２】
2013184046.tif 000004
【図３】
2013184046.tif 000005